【事件の表示】
　平成　９年特許願第２０１５８４号「電子部品装着装置および装着方法」拒絶査定不服審判事件〔平成１１年　２月１６日出願公開、特開平１１−　４６０９５〕について、次のとおり審決する。
【結　論】
　本件審判の請求は、成り立たない。
【理　由】
第１　手続の経緯 
　本願は、平成９年７月２８日の出願であって、平成１６年１２月６日付け、及び平成１７年８月１８日付けで手続補正がされ、平成１７年９月３０日付けで後者の手続補正についての却下の決定とともに拒絶査定がされたところ、この査定を不服として、同年１１月４日に審判請求がされるとともに、同日付けで手続補正がされたものである。 
　 
第２　平成１７年１１月４日付けの手続補正についての補正却下の決定 
【補正却下の決定の結論】 
　平成１７年１１月４日付けの手続補正（以下、「本件補正」という。）を却下する。 
　　 
【理由】 
１．手続補正の内容 
　本件補正は、特許請求の範囲の請求項１を、次のとおりに補正する事項を含む。 　 
「【請求項１】　電子部品を所定位置で供給可能な部品供給部と、
前記
移動し、該電子部品を
　
前記電子部品を吸着した前記吸着ノズルが前記電子回路基板から離れたノズル原点高さＨ３から、前記電子部品を前記電子回路基板の所定の位置に装着する電子回路基板上面高さＨ１まで移動する途中に、該吸着ノズルのノズル移動速度を切り替える速度切り替え高さＨ２を設定し、前記ノズル原点高さＨ３から前記速度切り替え高さＨ２までのノズル移動速度を高速にし、前記速度切り替え高さＨ２から前記電子回路基板上面高さＨ１までのノズル移動速度を低速にする昇降制御部と、
　
流体圧力を切り替える流体圧力切り替え部を前記ノズル原点高さＨ３で荷重プロファイルに基づき動作させて、前記吸着ノズルに付勢力を加えるための押圧部における圧力を常時圧力から高荷重あるいは低荷重に制御する圧力制御部と
　 
２．当審の判断 
　本件補正後の請求項１に記載された発明は、「電子部品を吸着した吸着ノズルが電子回路基板から離れたノズル原点高さＨ３から、前記電子部品を前記電子回路基板の所定の位置に装着する電子回路基板上面高さＨ１まで移動する途中に、該吸着ノズルのノズル移動速度を切り替える速度切り替え高さＨ２を設定し、前記ノズル原点高さＨ３から前記速度切り替え高さＨ２までのノズル移動速度を高速にし、前記速度切り替え高さＨ２から前記電子回路基板上面高さＨ１までのノズル移動速度を低速にする昇降制御部」という特定事項を有するが、本件補正前の特許請求の範囲には、「昇降制御部」を特定事項として記載する請求項は存在しない。
　したがって、この補正事項は、請求項に記載した発明を特定するために必要な事項を限定するものではないから、特許請求の範囲の限定的減縮を目的とするものに該当しない。
　また、この補正事項が請求項の削除、誤記の訂正又は明りょうでない記載の釈明を目的とするものに該当しないことも明らかである。 
　 
３．むすび 
　したがって、本件補正は、平成１８年改正前特許法第１７条の２第４項の規定に違反するものであるから、特許法第１５９条第１項の規定によって読み替えて準用する同法第５３条第１項の規定により却下すべきものである。
　 
第３　本願発明について 
１．本願発明 
　平成１７年１１月４日付けの手続補正は、上記「第２」に示すとおり却下され、平成１７年８月１８日付けの手続補正は原審において却下されているから、本願発明は、平成１６年１２月６日付けの手続補正により補正された明細書の特許請求の範囲の請求項１〜８に記載された事項により特定されるものと認められるところ、そのうちの請求項１に係る発明（以下、「本願発明１」という。）は、次のとおりのものである。 
「【請求項１】電子部品を所定位置で供給可能な部品供給部と、電子部品を吸着して電子回路基板の所定位置に装着する吸着ノズルを有する部品装着部を備えた電子部品装着装置であって、吸着ノズルごとに付勢力を加えるための押圧部と、前記押圧部の流体圧力を切り替えるための流体圧力切り替え部と、前記吸着ノズルの付勢力のタイミングを切り替え、所望の荷重に制御するための圧力制御部から構成された電子部品の押圧変換部を備えたことを特徴とする電子部品装着装置。」 
　 
２．原査定の理由の概要  
　原審の拒絶査定の理由１，２の概要は、以下のとおりである。
［理由１］
　本願の請求項１〜３，５〜７に係る発明は、その出願前日本国内又は外国において頒布された次の刊行物１〜３に記載された発明に基いて、その出願前にその発明の属する技術の分野における通常の知識を有する者が容易に発明をすることができたものであるから、特許法第２９条第２項の規定により特許を受けることができない。
　刊行物１：特開平８−１３０３９７号公報
　刊行物２：特開昭６３−１７４７８０号公報 
　刊行物３：特開平６−８５４４７号公報 
　 
［理由２］
　この出願の請求項４及び請求項８の記載が不備であるから、本願は特許法第３６条第４項及び第６項第２号に規定する要件を満たしていない。
　
３．理由１についての当審の判断
３−１．刊行物とその記載事項 
（１）刊行物１：特開平８−１３０３９７号公報
　原審の拒絶査定に引用した刊行物１の請求項２には、以下の事項が記載されている。
「 ロータリテーブルの周縁に設けられた複数の吸着ノズルの真空吸引により電子部品を吸着して該テーブルの間欠回転により該吸着ノズルが該部品を保持搬送してプリント基板に装着する電子部品自動装着装置において、前記吸着ノズルの真空吸引と遮断との切替を行う各吸着ノズルに対応して設けられた切替バルブと、吸着ノズルの部品の搬送途中にて該吸着ノズルの部品の吸着の有無を検出する部品有無検出手段と、吸着ノズルの種類により該部品有無検出手段が部品の無しを検出した場合に吸着ノズルの真空吸引を遮断するかどうかを判断する判断手段と、該判断手段が真空吸引を遮断することを判断した場合に真空吸引を遮断させるよう前記バルブの切替を制御する制御手段とを有することを特徴とする電子部品自動装着装置。」
　
（２）刊行物２：特開昭６３−１７４７８０号公報
　原審の拒絶査定に引用した刊行物２には、以下の事項が記載されている。
〔２ａ〕「（１）リード列を有する電子部品を保持しこの電子部品を基板の所定の位置に実装する加熱ヘッドを含む電子部品実装部を備えた電子部品実装装置において、前記加熱ヘッドに加圧力を作用させてこの加熱ヘッドを所定の方向に駆動する加圧部と、この加圧部の加熱ヘッドに対する加圧力を加熱ヘッドの前記電子部品に対する位置に応じて制御する加圧制御部とを有し、加熱ヘッドに保持した電子部品を基板に実装する際この加熱ヘッドに作用する加圧力を最適値に保持するようにしたことを特徴とする電子部品実装装置。
（２）前記加圧部は、加熱ヘッドを上下方向に駆動する流体圧シリンダ部を、前記加圧制御部は前記流体圧シリンダ部に供給する流体流量を制御する流量制御部をそれぞれ有するものである特許請求の範囲第１項記載の電子部品実装装置。」（特許請求の範囲の請求項１，２）
〔２ｂ〕「そこで本発明は、加熱ヘッドを含む電子部品実装部に対して適切な加圧制御が可能で、電子部品の良好な接続状態が得られる電子部品実装装置を提供することを目的とするものである。」（第２頁右上欄第３〜６行）
〔２ｃ〕「この実施例装置１は、電子部品３０をこの装置における正面後方の所定の位置に設けられた水平配置の固定板１９上において所定の向きに位置決めする電子部品位置決め部２と、この装置の正面に水平配置に設けられ・・・基板５０を第１図に示すＸ方向，Ｙ方向に移動して所定の位置に配置する基板固定機構部３と、前記電子部品位置決め部２により位置決めされた電子部品を保持して前記基板固定機構部３上の基板５０における配線パターン５１上に移送すると共に、この電子部品を配線パターン５１に実装する電子部品実装部４と、・・・加圧部９と、・・・加圧制御部１０とを有して構成されている。」（第２頁左下欄第１６行〜同頁右下欄第２０行）
〔２ｄ〕「前記加熱ヘッド８は、第２図（ａ）に示すように・・・電子部品３０の吸着機能を具備したピックアップノズル１５・・・を有している。」（第３頁左上欄第７〜１６行）
〔２ｅ〕「前記加圧制御部１０は、シリンダ１７の内部に流体（油、空気等）を供給する流体供給部２１と、この流体供給部２１における流体の流出，流入を第３図に示すようなタイミングで制御する流量制御部としての流体コントローラ２２と、前記シリンダ１７内のピストン１８の位置検出を行い、検出信号を流体コントローラ２２に送るスイッチ部２３とを有して構成されている。」（第３頁右上欄第６〜１３行）
〔２ｆ〕「この加圧制御部１０についてさらに詳述する。第２図（ａ）に示すように、前記流体供給部２１は、４ポート構成の主バルブ２４と、２ポート構成の減圧用バルブ２５とを有し、主バルブ２４の第１の出口ポート２４ａを配管を介して前記シリンダ１７の上側口１７ａに、第２の出口ポート２４ｂを配管を介して前記シリンダ１８の下側口１７ｂに連通している。
　また、前記減圧用バルブ２５の出口ポート２５ａは、配管を介して前記シリンダ１７の上側口１７ａに連通されている。
　尚、第２図において、２６は減圧用バルブ２５の出口ポート２５ａと前記上側口１７ａとを連通する配管に設けられているエアレギュレータである。」（第３頁右上欄第１４行〜同頁左下欄第８行）
〔２ｇ〕「次に上記構成の装置の作用を第３図に示すこの装置各部の動作タイミングを示すタイミングチャートをも参照し、かつ、加圧部９及び加圧制御部１０の動作を主にして説明する。
　初期状態として、・・・加熱ヘッド８はピックアップノズル１５により電子部品３０を吸着したまま基板５０の上方に待機しているものとする。
　この状態で、流体コントローラ２２から加熱ヘッド８を加工させるための信号が主バルブ２４に送られる。すると、この主バルブ２４の第２の出口ポート２４ｂが流体吸入状態に、第１の出口ポート２４ａが流体送出状態に変る。これにより、シリンダ１７の上側口１７ａから流体がこのシリンダ１７内に流入すると共に下側口１７ｂから流体が流出し、ピストン１８及び加熱ヘッド８は下降を開始する。そして、このとき加熱ヘッドに作用する加圧力は徐々に上昇し予め設定された加圧力Ｆ１となる。
　やがて、加熱ヘッド８により保持された電子部品３０が第２図（ａ）に示すＡ点まで下降すると、・・・減圧スイッチ２９のＯＮ信号は流体コントローラ２２に送られ、流体コントローラ２２から主バルブ２４に対し減圧信号が、減圧バルブ２５に対して流体圧制御信号がそれぞれ送られる。
　これにより、主バルブ２４の第１の出口ポート２４ａが流体吸入状態に切替えられ、シリンダ１７内の下降ための圧力が減圧されると共に、補助バルブ２５の出口ポート２５ａからシリンダ１７内に流体が送られて、シリンダ１７内の圧力、すなわち、加熱ヘッド８に作用する加圧力が実装に最適の加圧力Ｆ２（例えば加熱ヘッド８の自重による圧力）になるように切替制御される。このときの加圧力は、エアレギュレータ２６を調整することにより、第２図で点線を付して示すようにＦ３，Ｆ４の如く任意に切替えることができる。
　そして、補助バルブ２５からシリンダ１７に対して下端スイッチ２８がＯＮになるまで流体を送り続ける。これにより、加熱ヘッド８に作用する加圧力はＦ２に保持され、この段階で減圧バルブ２５からシリンダ１７に対する流体の供給を停止する。
　この状態では、下端スイッチ２８はＯＮとなると共に、加熱ヘッド８により保持されている電子部品３０のリード列３１が基板５０の配線パターン５１に加圧力Ｆ２で押圧される。そして、このときヒータチップ１４により一定時間リード列３１を加熱することにより、電子部品３０を基板５０上に実装することができる。
・・・
　この後、吸着ノズル１５による吸着状態が解除され、また、流体コントローラ２２から主バルブ２４に対し加熱ヘッドを上昇させるための信号が送られる。これにより、第２の出口ポート２４ｂが流体送出状態に変り、シリンダ１７の下側口１７ｂへ流体が供給されてピストン１８及び加熱ヘッド８が上昇を開始する。そして、上端スイッチ２７がＯＮになるまでピストン１８が上昇した段階で１サイクル動作が終了する。」（第３頁右下欄第１５行〜第４頁右下欄第３行）
〔２ｈ〕第３図は「装置各部の動作タイミングを示すタイミングチャート」であり、流体コントローラからの信号に応じて、主バルブ及び減圧バルブからの流体の流出入が制御され、加熱ヘッドに対する加圧力のタイミングが切り替えられて、所望の加圧力Ｆ１、Ｆ２等に制御されていることが示されている。
　
３−２．刊行物２に記載された発明
ア）　刊行物２の〔２ａ〕には、「リード列を有する電子部品を保持しこの電子部品を基板の所定の位置に実装する加熱ヘッドを含む電子部品実装部を備えた電子部品実装装置」であって、「前記加熱ヘッドに加圧力を作用させてこの加熱ヘッドを所定の方向に駆動する加圧部」、及び「この加圧部の加熱ヘッドに対する加圧力を加熱ヘッドの前記電子部品に対する位置に応じて制御する加圧制御部」を有し、この加圧部が「加熱ヘッドを上下方向に駆動する流体圧シリンダ部」を有し、この加圧制御部が「流体圧シリンダ部に供給する流体流量を制御する流量制御部」を有する電子部品実装装置が記載されており、〔２ｃ〕には、この実施例装置について、「電子部品３０を・・・所定の位置に設けられた水平配置の固定板１９上において所定の向きに位置決めする電子部品位置決め部２」を有すると記載されている。そして、この電子部品位置決め部は電子部品を供給可能とする部品供給部といえるから、刊行物２には、『電子部品を所定位置で供給可能な部品供給部と、電子部品を保持しこの電子部品を基板の所定の位置に実装する加熱ヘッドを含む電子部品実装部を備えた電子部品実装装置であって、前記加熱ヘッドに加圧力を作用させてこの加熱ヘッドを所定の方向に駆動する流体圧シリンダ部を有する加圧部と、この加圧部に供給する流体流量を制御する流量制御部を有し、この加圧部の加熱ヘッドに対する加圧力を加熱ヘッドの前記電子部品に対する位置に応じて制御する加圧制御部を有する電子部品実装装置』が記載されているといえる。
　
イ）　また、この装置の加熱ヘッドについて、〔２ｄ〕には「電子部品３０の吸着機能を具備したピックアップノズル１５」を有すると記載され、〔２ｇ〕には、「初期状態として、・・・加熱ヘッド８はピックアップノズル１５により電子部品３０を吸着したまま基板５０の上方に待機している」、「加熱ヘッド８により保持されている電子部品３０のリード列３１が基板５０の配線パターン５１に加圧力Ｆ２で押圧される。そして、このとき・・・電子部品３０を基板５０上に実装することができる」、「この後、吸着ノズル１５による吸着状態が解除され」と記載されているから、この加熱ヘッドは、『電子部品を吸着して基板の所定位置に装着するピックアップノズルを有する電子部品実装部』であって、ピックアップノズルと一体化して電子部品実装を行うものといえる。
　
ウ）　そして、この装置の加圧部は、「加熱ヘッドに加圧力を作用させてこの加熱ヘッドを所定の方向に駆動する」〔２ａ〕のであるから、加熱ヘッドとともに加熱ヘッドと一体化して電子部品実装を行うピックアップノズルに対しても『加圧力を作用させて所定の方向に付勢する』ものといえる。
　
エ）　次に、この装置の加圧制御部については、〔２ｅ〕に、「加圧制御部１０は、シリンダ１７の内部に流体（油、空気等）を供給する流体供給部２１と、この流体供給部２１における流体の流出，流入を第３図に示すようなタイミングで制御する流量制御部としての流体コントローラ２２と、前記シリンダ１７内のピストン１８の位置検出を行い、検出信号を流体コントローラ２２に送るスイッチ部２３とを有して構成されている」と記載されているから、この加圧制御部は、流体コントローラである「流量制御部」の外に「流体供給部」も有しているといえる。
　
オ）　この流体供給部について、〔２ｆ〕には、「流体供給部２１は、４ポート構成の主バルブ２４と、２ポート構成の減圧用バルブ２５とを有し・・・２６は減圧用バルブ２５の出口ポート２５ａと前記上側口１７ａとを連通する配管に設けられているエアレギュレータである。」と記載されているから、この流体供給部は、主バルブ、減圧用バルブ及びエアレギュレータを含むといえる。
　
カ）　そして、この流体供給部と流量制御部を有する加圧制御部の動作について、〔２ｇ〕には、「流体コントローラ２２から加熱ヘッド８を加工させるための信号が主バルブ２４に送られる。すると、この主バルブ２４の第２の出口ポート２４ｂが流体吸入状態に、第１の出口ポート２４ａが流体送出状態に変る。これにより、シリンダ１７の上側口１７ａから流体がこのシリンダ１７内に流入すると共に下側口１７ｂから流体が流出し、ピストン１８及び加熱ヘッド８は下降を開始する。そして、このとき加熱ヘッドに作用する加圧力は徐々に上昇し予め設定された加圧力Ｆ１となる。」、「流体コントローラ２２から主バルブ２４に対し減圧信号が、減圧バルブ２５に対して流体圧制御信号がそれぞれ送られる。これにより、主バルブ２４の第１の出口ポート２４ａが流体吸入状態に切替えられ、シリンダ１７内の下降ための圧力が減圧されると共に、補助バルブ２５の出口ポート２５ａからシリンダ１７内に流体が送られて、シリンダ１７内の圧力、すなわち、加熱ヘッド８に作用する加圧力が実装に最適の加圧力Ｆ２（例えば加熱ヘッド８の自重による圧力）になるように切替制御される。このときの加圧力は、エアレギュレータ２６を調整することにより、第２図で点線を付して示すようにＦ３，Ｆ４の如く任意に切替えることができる。」、「流体コントローラ２２から主バルブ２４に対し加熱ヘッドを上昇させるための信号が送られる。これにより、第２の出口ポート２４ｂが流体送出状態に変り、シリンダ１７の下側口１７ｂへ流体が供給されてピストン１８及び加熱ヘッド８が上昇を開始する」と記載されており、〔２ｈ〕には、「装置各部の動作タイミングを示すタイミングチャート」が示されている。
　以上の記載によると、この加圧制御部における「流体供給部」は、主バルブ、補助バルブ（減圧用バルブ）及びエアレギュレータによって、加熱ヘッドに作用する流体圧シリンダ部（加圧部）の流体圧力を切り替えることができるものであるといえ、また、「流量制御部」は、流体コントローラによって加熱ヘッドに作用する加圧力、すなわち付勢力のタイミングを切り替え、所望の荷重に制御しているものといえる。
　そして、上記「イ）」に示すように、加熱ヘッドとピックアップノズルとは一体化して電子部品実装を行うものであることからすると、この「流体供給部」は、『ピックアップノズルに作用する加圧部の流体圧力を切り替えることができる』ものといえるし、この「流量制御部」は、『ピックアップノズルの付勢力のタイミングを切り替え、所望の荷重に制御している』ものといえる。
　
キ）　さらに、〔２ｇ〕、〔２ｈ〕によると、「加圧部」、「流体供給部」、及び「流量制御部」は、連係して作用することにより、加熱ヘッドに作用する加圧力を変換し、以て加熱ヘッドのピックアップノズルに吸着された電子部品を基板に押圧する圧力を変換しているから、この三者は『電子部品の押圧変換部』を構成するものといえる。
　　
ク）　以上によれば、刊行物２には、以下の発明が記載されているといえる。
『電子部品を所定位置で供給可能な部品供給部と、電子部品を吸着して基板の所定位置に装着するピックアップノズルを有する電子部品実装部を備えた電子部品実装装置であって、前記ピックアップノズルに加圧力を作用させて所定の方向に付勢する加圧部と、前記加圧部の流体圧力を切り替えることができる流体供給部と、前記ピックアップノズルの付勢力のタイミングを切り替え、所望の荷重に制御する流量制御部から構成された電子部品の押圧変換部を備えた電子部品実装装置』
（以下、この発明を「刊行物２発明」という。）
　
３−３．本願発明１と刊行物２発明との対比 
　本願発明１（前者）と刊行物２発明（後者）とを対比すると、後者の『基板』は電子部品を実装する基板であるから、前者の「電子回路基板」に相当し、後者の『ピックアップノズル』、『電子部品実装部』、『加圧部』、『流体供給部』、及び『流量制御部』は、それぞれ、前者の「吸着ノズル」、「部品装着部」、「押圧部」、「流体圧力切り替え部」及び「圧力制御部」に相当するから、両者は、「電子部品を所定位置で供給可能な部品供給部と、電子部品を吸着して電子回路基板の所定位置に装着する吸着ノズルを有する部品装着部を備えた電子部品装着装置であって、吸着ノズルに付勢力を加えるための押圧部と、前記押圧部の流体圧力を切り替えるための流体圧力切り替え部と、前記吸着ノズルの付勢力のタイミングを切り替え、所望の荷重に制御するための圧力制御部から構成された電子部品の押圧変換部を備えたことを特徴とする電子部品装着装置」である点で一致し、以下の点で相違する。
　
相違点：前者は、押圧部が「吸着ノズルごとに」付勢力を加えるのに対して、後者は、そのような特定事項を有しない点
　
３−４．相違点についての判断       
　刊行物２の〔２ｂ〕には、刊行物２発明の目的について、「加熱ヘッドを含む電子部品実装部に対して適切な加圧制御が可能で、電子部品の良好な接続状態が得られる電子部品実装装置を提供することを目的とする」と記載されている。
　一方、刊行物１の「ロータリテーブルの周縁に設けられた複数の吸着ノズルの真空吸引により電子部品を吸着して該テーブルの間欠回転により該吸着ノズルが該部品を保持搬送してプリント基板に装着する電子部品自動装着装置において・・・」の記載によると、本願出願前、複数の吸着ノズルを有する電子部品装着装置は公知であると認められる。
　そして、複数の吸着ノズルを有する電子部品装着装置においても、複数の吸着ノズルの各ノズルごとに吸着された個々の電子部品について、良好な接続状態が求められることは自明の課題であるから、刊行物２発明の押圧部を含む電子部品の押圧変換部を公知の複数の吸着ノズルを有する電子部品装着装置に適用すること、その際、個々の電子部品に対する付勢力を制御して、押圧部が「吸着ノズルごとに」付勢力を加える構成とすることは、当業者が容易に想到し得ることと認められる。
　
３−５．小括
　したがって、本願発明１は、刊行物２発明及び刊行物１の記載事項に基いて当業者が容易に発明をすることができたものである。
　
４．理由２に対する当審の判断
　請求項４，８に記載の「前記加熱部の電流もしくは電圧を所定の温度に切り替えるための温度制御部」について、「電流もしくは電圧」と「温度」とは物理的に直接変換できる量ではないから、前者を後者に切り替えることは不可能である。「電流もしくは電圧を切り替えることにより所定の温度に切り替える」ことは可能と認められるが、請求項４，８にそのように記載されているわけではない。
　したがって、上記の記載の技術的な意味が明確でないから、請求項４，８に記載された発明は明確でない。
　よって、本願は、特許法第３６条第６項第２号の規定を満たしていない。
　
５．むすび 
　以上のとおり、本願発明１は、本出願前に国内で頒布された刊行物１，２に記載された発明に基いて当業者が容易に発明をすることができたものであるから、特許法第２９条第２項の規定により特許を受けることができず、また、この出願は、特許請求の範囲の記載が不備であるから、特許法第３６条第６項第２号の規定を満たしていない。
　したがって、本願は拒絶すべきでものである。 
　よって、結論のとおり審決する。